(57)【特許請求の範囲】
【請求項１】
上面、前面および両側面の少なくとも一つの面に凹凸模様が形成された電子楽器の鍵において、
段違いの複数の面と、前記複数の面の間に位置する段差からなる線模様とで前記凹凸模様を構成し、
前記鍵の平面視による面積が前記鍵の下方から上方に行くほど小さくなるようにして前記段差からなる線模様を前記前面および前記両側面に設け、かつ前記段差を構成する面を外周側に向かう下り傾斜になった傾斜面で構成したことを特徴とする電子楽器の鍵。
【請求項２】
前記凹凸模様が形成される面を平滑基準面としたときの前記平滑基準面に対する前記凹凸模様の凹凸の縁部に形成される傾斜面の傾斜角度を７０度〜９０度の範囲にした請求項１に記載の電子楽器の鍵。
【請求項３】
前記凹凸模様における前記線模様に沿った各部分の凹凸方向の長さを不均一にした請求項１または２に記載の電子楽器の鍵。
【発明の詳細な説明】
【技術分野】
【０００１】
本発明は、表面に凹凸模様が形成された電子楽器の鍵に関する。
【背景技術】
【０００２】
従来から、電子楽器が備える鍵の中には、高級感を出すために、木目模様の凹凸を形成したものがある（例えば、特許文献１参照）。この鍵は、黒鍵を構成しており、射出成形によって成形される。そして、成形後に、鍵の表面をサンドペーパで削り加工することにより、不規則な断面Ｖ字状の溝からなる木目調の凹凸模様が形成される。
【先行技術文献】
【特許文献】
【０００３】
【特許文献１】特開２００９−１６９３６１号公報
【発明の概要】
【０００４】
しかしながら、前述した従来の鍵では、木目調の模様を、サンドペーパで鍵の所定の面を削り加工することにより形成した断面Ｖ字状の溝で構成しているため、視覚的にも触覚的にも凹凸感に乏しく、凹凸やその変化を感じにくいものであった。
【０００５】
本発明は、前述した問題に対処するためになされたもので、その目的は、視覚および触覚の双方で、凹凸やその変化を感じることができる線模様を備えた電子楽器の鍵を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【００１４】
前述した目的を達成するため、本発明に係る電子楽器の鍵の構成上の特徴は、上面、前面および両側面の少なくとも一つの面に凹凸模様（４４，４５）が形成された電子楽器の鍵において、段違いの複数の面（４４ａ，４６，４７）と、複数の面の間に位置する段差からなる線模様（４４ｂ，４８）とで凹凸模様を構成し、鍵の平面視による面積が鍵の下方から上方に行くほど小さくなるようにして段差からなる線模様を前面（４２）および両側面（４３）に設け、かつ段差を構成する面を外周側に向かう下り傾斜になった傾斜面（４４ｂ）で構成したことにある。これによると、複数の面における低い面から高い面に向けて立ち上がる面によって発生される光の反射により、段差による線模様を明確に認識できるようになる。また、触覚においても、段差を構成する立ち上がり面を感触で明確に感じとることができる。なお、この場合の複数の面は、平坦面であってもよいし、凹凸模様が形成された面であってもよい。
【００１６】
本発明では、前面および両側面に形成された段差からなる線模様が、鍵の平面視による面積が下方から上方に行くほど小さくなるようにして設けられている。このため、鍵を成形する際に、前面や両側面にアンダーカットが生じて成形された鍵を成形型から抜き難くなるといったことを防止できる。この結果、成形された鍵を成形型から抜く操作がスムーズになり、生産性の向上と品質の確保とが図れる。また、段差を構成する面を外周側に向かう下り傾斜になった傾斜面に形成するため、段部の縁部に欠損が生じることを防止できる。
【００１９】
また、本発明に係る電子楽器の鍵の他の構成上の特徴は、凹凸模様が形成される面を平滑基準面（１４，２４，３４）としたときの平滑基準面に対する凹凸模様の凹凸の縁部に形成される傾斜面（１６ｃ，１７ｃ，４８）の傾斜角度を７０度〜９０度の範囲にしたことにある。これによると、凹凸模様を正面から見たときの幅が陰影を現すために十分なものになる。このため、陰影が顕著に現れて視覚的に好ましいものになるとともに、触覚的にも段差を感じ易い好ましいものになる。
【００２０】
また、本発明に係る電子楽器の鍵のさらに他の構成上の特徴は、凹凸模様における線模様に沿った各部分の凹凸方向の幅を不均一にしたことにある。これによると、線模様における凹部や凸部の中でさらに高低の変化を持たせることができ、より微細な変化を生じさせることができる。
【図面の簡単な説明】
【００２１】
【図１】本発明の第１実施形態に係る鍵を示した斜視図である。
【図２】図１に示した鍵に形成された凹凸模様を示した拡大図である。
【図３】微小凸部の周囲の傾斜面の傾斜角度を示した説明図である。
【図４】微小凹部の周囲の傾斜面の傾斜角度を示した説明図である。
【図５】微小凸部の高低差を示した説明図である。
【図６】本発明の第２実施形態に係る鍵を示した斜視図である。
【図７】図６に示した鍵に形成された凹凸模様を示した拡大図である。
【図８】本発明の第３実施形態に係る鍵に形成された凹凸模様を示した拡大図である。
【図９】本発明の第４実施形態に係る鍵に形成された凹凸模様を示した拡大図である。
【図１０】図９に示した段差の傾斜面の傾斜角度を示した説明図である。
【図１１】図９に示した段差部分の高低差を示した説明図である。
【図１２】本発明の第５実施形態に係る黒鍵のキートップ部を示した斜視図である。
【図１３】本発明の第６実施形態に係る鍵を示した斜視図である。
【図１４】本発明の第６実施形態に係る鍵に形成された凹凸模様を示した拡大図である。
【発明を実施するための形態】
【００２２】
（第１実施形態）
以下、本発明の第１実施形態に係る電子楽器の鍵を図面を用いて説明する。図１は、同実施形態に係る白鍵１０を示している。この白鍵１０は、電子楽器（図示せず）の上面における手前側（演奏者側）に黒鍵とともに複数個並べられるもので、それぞれ長手方向を前後に向けて設置される。この白鍵１０は、硬質の合成樹脂を一体成形することにより形成されており、上面部１１と、前面部１２と、左右一対の側面部１３（一方しか図示せず）とで構成されている。上面部１１の左側部の後部側には黒鍵を配置するための切り欠き凹部１１ａが形成され、上面部１１の上面後端には、前部側よりも低くなった段部１１ｂが形成されている。この段部１１ｂは、白鍵１０を電子楽器の本体に揺動可能に支持させる際に用いられる。なお、前記切り欠き凹部１１ａの位置は白鍵に割り当てられる位置によって異なる。
【００２３】
前面部１２は、上面部１１の先端縁部よりも僅かに後方部分から下方に延びる略正方形の板状部分で構成されている。左右一対の側面部１３の一方（図１の手前側に位置する側面部１３）は、Ｌ形の板状部分で構成されており、Ｌ形の長辺側の外縁部を上面部１１の右側部に沿わせ、Ｌ形の短辺側の外縁部を前面部１２の右側部に沿わせて、上面部１１と前面部１２とに一体的に組付けられている。また、他方の側面部１３は、側面視が一方の側面部１３と同じＬ形に形成されており、上縁部を上面部１１の左側部の前部側と切り欠き凹部１１ａの縁部に沿って沿わせ、前縁部を前面部１２の左側部に沿わせた段違い状の板状部分で構成されている。
【００２４】
白鍵１０の外観となる上面部１１、前面部１２および一対の側面部１３の表面には、それぞれ凹凸模様１５が形成されている。この凹凸模様１５は、白鍵１０の前後方向または上下方向に延びる尾根線部からなる線模様１６と谷線部からなる線模様１７（図２参照）とを交互に配置することによって縞模様に形成されている。線模様１６は、大きさの異なる複数の微小凸部１６ａを一点鎖線で示した仮想線１６ｂ上に配置して構成されており、各微小凸部１６ａは互いに僅かな間隔を保って設けられている。複数の微小凸部１６ａが、上面部１１、前面部１２および側面部１３の表面における平坦部１４から突出していることと、互いに接近して配置されていることで、線模様１６は、連続する尾根状の線として認識される。
【００２５】
線模様１７は、大きさの異なる複数の微小凹部１７ａを一点鎖線で示した仮想線１７ｂ上に配置して構成されており、各微小凹部１７ａは互いに僅かな間隔を保って設けられている。複数の微小凹部１７ａが、平坦部１４から窪んでいることと、互いに接近して配置されていることで、線模様１７は、連続する谷状の線として認識される。殆どの微小凸部１６ａと微小凹部１７ａは、仮想線１６ｂ，１７ｂに沿った方向の長さの方が、仮想線１６ｂ，１７ｂに直交する方向の長さよりも長くなっている。
【００２６】
微小凸部１６ａと微小凹部１７ａとの仮想線１６ｂ，１７ｂに沿った方向の長さは、それぞれ０．１ｍｍ〜８０ｍｍ、望ましくは、０．２ｍｍ〜５０ｍｍ、さらに望ましくは０．３ｍｍ〜２０ｍｍに設定され、微小凸部１６ａと微小凹部１７ａとの仮想線１６ｂ，１７ｂに直交する方向の長さは、それぞれ０．０３ｍｍ〜０．５ｍｍ、望ましくは、０．０５ｍｍ〜０．３ｍｍ、さらに望ましくは０．０８ｍｍ〜０．２ｍｍに設定されている。また、各微小凸部１６ａの間隔および各微小凹部１７ａの間隔は、それぞれ０．０３ｍｍ〜５ｍｍ、望ましくは、０．０５ｍｍ〜３ｍｍ、さらに望ましくは０．０８ｍｍ〜２ｍｍに設定されている。
【００２７】
図３は、微小凸部１６ａの周囲に形成される傾斜面１６ｃの垂直線（平坦部１４に直交する線）に対する傾斜角度ａを示しており、この傾斜角度ａは０〜２０度の範囲に設定されている。すなわち、平坦部１４に対する傾斜面１６ｃの傾斜角度は、７０〜９０度になる。また、図４は、微小凹部１７ａの周囲に形成される傾斜面１７ｃの垂直線に対する傾斜角度ｂを示しており、この傾斜角度ｂも０〜２０度の範囲に設定されている。図５は、微小凸部１６ａの一例を示しており、微小凸部１６ａの中には、高さｃと高さｄのように異なる高さの部分が含まれるものもある。また、図示は省略するが、微小凹部１７ａの中にも、深さの異なる部分が含まれるものがある。そして、各線模様１６，１７間の間隔は、それぞれ０．０３ｍｍ〜２２ｍｍ、望ましくは、０．０５ｍｍ〜１２ｍｍ、さらに望ましくは０．０８ｍｍ〜８ｍｍに設定されている。
【００２８】
なお、この白鍵１０を一体成形する射出成形機には、固定型と可動型とからなる金型が備わっており、金型の成形面に、凹凸模様１５に対応する凹凸模様、すなわち、凹凸模様１５と凹凸が逆になる凹凸模様が形成されている。このため、白鍵１０の成形が容易になる。また、白鍵１０が備わった電子楽器を演奏する際には、まず、上面部１１と前面部１２とに形成された凹凸模様１５が見え、押鍵操作をしたときに、隣の白鍵１０の側面部１３に形成された凹凸模様１５が見える。このため、電子楽器の美観が向上するとともに、押鍵操作の際に凹凸模様１５が変化して見えるようになり、演奏が楽しくなる。また、押鍵時に、指が上面部１１の凹凸模様１５に触れることによっても、触感に変化が生じて興趣に富むものとなる。
【００２９】
このように、本実施形態に係る白鍵１０では、複数の微小凸部１６ａで形成される尾根線部からなる線模様１６と、複数の微小凹部１７ａで形成される谷線部からなる線模様１７とを交互に配置して構成される凹凸模様１５を、上面部１１、前面部１２および一対の側面部１３の表面に形成している。このため、平坦部１４における線模様１６に沿った部分に線状の影が現れ、線模様１７の内部に線状の影が現れる。このように、平坦部１４に対して突出した線模様１６と窪んだ線模様１７とにより、白鍵１０の外観に、凹凸の変化がくっきりと現れ、興趣に富むものとなる。また、触覚においても凹凸の変化を感じ易くなり、これによって、演奏が楽しいものとなる。
【００３０】
なお、本実施形態では、上面部１１、前面部１２および一対の側面部１３のすべてに凹凸模様１５を設けているが、これは、上面部１１、前面部１２および一対の側面部１３のいずれか一部に設けてもよい。例えば、側面部１３だけに凹凸模様１５を設けると、演奏をしていないときには、凹凸模様１５が形成されていない鍵を備えた電子楽器と同じ外観をしているが、演奏時にだけに凹凸模様１５が見えるようになり、面白味がいっそう増すようになる。また、触覚を重視する場合には、上面部１１だけに凹凸模様１５を設けてもよい。
【００３１】
また、本実施形態では、凹凸模様１５を、線模様１６と、線模様１７との双方で構成しているが、凹凸模様１５を、尾根線部からなる線模様１６だけで構成したり、谷線部からなる線模様１７だけで構成したりしてもよい。さらに、一つの線模様のなかに、尾根線部と谷線部とを含ませてもよい。また、線模様１６，１７の延びる方向は、白鍵１０の前後方向または上下方向に限らずどの方向にしてもよいし、線模様１６，１７を直線でなく曲線に形成してもよい。また、この凹凸模様１５を形成する鍵は、白鍵１０でなく、黒鍵にしてもよいし、白鍵１０と黒鍵との双方にしてもよい。
【００３２】
さらに、前述した白鍵１０の上面後端には、段部１１ｂが形成されているが、この段部１１ｂを設けずに、白鍵１０の上面は前端から後端にかけて連続した平面に形成してもよい。また、白鍵１０の前面部１２は、上面部１１の先端縁部よりも後方部分から下方に延びて上面部１１の先端縁部が前面部１２よりも前方に突出しているが、この突出した部分は除去してもよい。
【００３３】
（第２実施形態）
図６は、本発明の第２実施形態に係る白鍵２０を示している。この白鍵２０の外観となる上面部２１、前面部２２および一対の側面部２３の表面には、それぞれ全体として縞模様のように見える凹凸模様２５が形成されている。この凹凸模様２５は、白鍵１０の前後方向または上下方向にそれぞれ延び、左右または上下に交互に配置された複数の面模様２６，２７と、面模様２６，２７の境界部分に現れる複数の線模様２８とで構成されている。図７に示したように、面模様２６は、複数の微小凸部２６ａを線状に並べて形成される複数の小線模様２６ｂで構成されており、各小線模様２６ｂは、互いの間隔を一定にして平行に配置されている。
【００３４】
各小線模様２６ｂは、上面部２１、前面部２２および側面部２３の表面の平坦部２４の縁部に対して傾斜して延びている。すなわち、図７の状態では、各小線模様２６ｂの上端よりも下端が右側に位置している。面模様２７は、複数の微小凹部２７ａを線状に並べて形成される複数の小線模様２７ｂで構成されており、各小線模様２７ｂは、互いの間隔を一定にして平行に配置されている。各小線模様２７ｂは、小線模様２６ｂと反対側に傾斜している。すなわち、図７の状態では、各小線模様２７ｂの上端よりも下端が左側に位置している。このように構成された面模様２６と面模様２７とが交互に配置されている。
【００３５】
このため、複数の微小凸部２６ａで構成される各小線模様２６ｂと、複数の微小凹部２７ａで構成される各小線模様２７ｂとがそれぞれジグザグ状に延び、ジグザグ状に延びる複数の線模様が一定間隔で配置されている。そして、面模様２６の領域と面模様２７の領域とで、小線模様２６ｂと小線模様２７ｂとの延びる方向が変わるとともに、その凹凸が逆になるため、それぞれの小線模様２６ｂと小線模様２７ｂとの交点が鮮明になる。そして、鮮明に現れる交点が連続することにより、線模様２８がくっきりと現れる。
【００３６】
微小凸部２６ａは円形の凸部で構成されており、直径は０．０３ｍｍ〜０．５ｍｍ、望ましくは、０．０５ｍｍ〜０．３ｍｍ、さらに望ましくは０．０８ｍｍ〜０．２ｍｍに設定され、高さは０．０１ｍｍ〜１ｍｍ、望ましくは、０．０２ｍｍ〜０．５ｍｍ、さらに望ましくは０．０５ｍｍ〜０．３ｍｍに設定されている。また、各微小凸部２６ａ間の間隔（隣接する微小凸部２６ａの中心点間の長さ）は、０．０６ｍｍ〜８０ｍｍ、望ましくは、０．１ｍｍ〜５０ｍｍ、さらに望ましくは０．１６ｍｍ〜２０ｍｍに設定されている。
【００３７】
微小凹部２７ａは円形の窪みで構成されており、直径は０．０３ｍｍ〜０．５ｍｍ、望ましくは、０．０５ｍｍ〜０．３ｍｍ、さらに望ましくは０．０８ｍｍ〜０．２ｍｍに設定され、深さは０．０１ｍｍ〜１ｍｍ、望ましくは、０．０２ｍｍ〜０．５ｍｍ、さらに望ましくは０．０５ｍｍ〜０．３ｍｍに設定されている。また、各微小凹部２７ａ間の間隔（隣接する微小凹部２７ａの中心点間の長さ）は、０．０６ｍｍ〜８０ｍｍ、望ましくは、０．１ｍｍ〜５０ｍｍ、さらに望ましくは０．１６ｍｍ〜２０ｍｍに設定されている。
【００３８】
さらに、各線模様２８間の間隔は、０．０３ｍｍ〜２２ｍｍ、望ましくは、０．０５ｍｍ〜１２ｍｍ、さらに望ましくは０．０８ｍｍ〜８ｍｍに設定され、各小線模様２６ｂ間の間隔および各小線模様２７ｂ間の間隔は、０．０６ｍｍ〜１６０ｍｍ、望ましくは、０．１ｍｍ〜１６０ｍｍ、さらに望ましくは０．１６ｍｍ〜１６０ｍｍに設定されている。この白鍵２０のそれ以外の部分の構成については、前述した白鍵１０と同一である。したがって、同一部分に同一符号を記して説明は省略する。
【００３９】
このように、本実施形態に係る白鍵２０では、複数の微小凸部２６ａからなる複数の小線模様２６ｂで構成される面模様２６と、複数の微小凹部２７ａからなる複数の小線模様２７ｂで構成される面模様２７とを交互に配置して、その境界に線模様２８を形成した凹凸模様２５を、上面部２１、前面部２２および一対の側面部２３の表面に形成している。このため、線模様２８を挟んで各面模様２６，２７の模様パターンが急に変化する。この結果、白鍵２０の外観に、凹凸模様２５の変化がくっきりと現れ、興趣に富むものとなる。また、触覚においても凹凸の変化を感じ易くなる。この白鍵２０におけるそれ以外の作用効果については、前述した第１実施形態に係る白鍵１０と同様である。
【００４０】
なお、本実施形態では、上面部２１、前面部２２および一対の側面部２３のすべてに凹凸模様２５を設けているが、この凹凸模様２５は、上面部２１、前面部２２および一対の側面部２３のいずれか一部に設けてもよい。また、本実施形態では、面模様２６を、複数の微小凸部２６ａで構成し、面模様２７を、複数の微小凹部２７ａで構成しているが、面模様２６，２７の双方を、微小凸部２６ａだけで構成したり、微小凹部２７ａだけで構成したりしてもよい。また、面模様２６，２７の双方に、微小凸部２６ａと微小凹部２７ａとを混在させてもよい。さらに、面模様２６，２７の形状や延びる方向も前述した実施形態に限るものでなく、適宜変更することができる。
【００４１】
要は、隣り合った面模様の模様パターンを異なるものにして、その境界線として現れる線模様を浮き出させることができるものであればよい。また、この凹凸模様２５を形成する鍵は、白鍵２０でなく、黒鍵にしてもよいし、白鍵２０と黒鍵との双方にしてもよい。さらに、本実施形態では、各小線模様２６ｂ，２７ｂを、それぞれ互いの間隔を一定にして平行に配置しているが、これらの小線模様２６ｂ，２７ｂは、ともに間隔が異なるように配置してもよいし、必ずしも平行していなくてもよい。また、複数の微小凸部２６ａで構成される各小線模様２６ｂと、複数の微小凹部２７ａで構成される各小線模様２７ｂとをそれぞれ一定間隔でジグザグ状に延ばしているが、このジグザグ状に延びる複数の線模様も一定間隔でなくてもよい。
【００４２】
（第３実施形態）
図８は、本発明の第３実施形態に係る白鍵（図６に示した白鍵２０と同様に現れる）に形成された凹凸模様３５を示している。この凹凸模様３５は、白鍵の前後方向または上下方向にそれぞれ延び、左右または上下に間隔を保って交互に配置された複数の面模様３６，３７と、白鍵の縁部側および面模様３６，３７間にそれぞれ設けられた平坦面３４と、面模様３６，３７と平坦面３４との境界部分にそれぞれ現れる複数の線模様３８とで構成されている。面模様３６は、複数の微小凸部３６ａを線状に並べて形成される複数の小線模様３６ｂで構成されており、各小線模様３６ｂは、互いの間隔を一定にして平行に配置されている。
【００４３】
各小線模様３６ｂは、平坦面３４の長手方向に対して傾斜して延びており、図８の状態では、上端よりも下端が左側に位置している。面模様３７は、複数の微小凹部３７ａを線状に並べて形成される複数の小線模様３７ｂで構成されており、各小線模様３７ｂは、互いの間隔を一定にして平行に配置されている。各小線模様３７ｂは、小線模様３６ｂと反対側に傾斜している。すなわち、図８の状態では、各小線模様３７ｂの上端よりも下端が右側に位置している。このように構成された面模様３６，３７と平坦面３４とはそれぞれ同じ幅に設定されている。そして、面模様３６と面模様３７とが間隔を保って交互に配置され、その間隔の部分が平坦面３４で構成されている。
【００４４】
このため、複数の微小凸部３６ａで構成される各小線模様３６ｂと、複数の微小凹部３７ａで構成される各小線模様３７ｂとがそれぞれ方向を変えて平坦面３４を介して断続的なジグザグ状に延び、断続的なジグザグ状に延びる複数の線模様が一定間隔で配置されている。そして、面模様３６，３７と平坦面３４との間にそれぞれ、境界線で構成される線模様３８が連続した状態で現れている。この場合も、面模様３６，３７の模様パターンが平坦面３４によって中断されることにより、線模様３８が鮮明に現れる。微小凸部３６ａの形状、大きさおよびその配置の間隔は、前述した第２実施形態の微小凸部２６ａと同じで、微小凹部３７ａの形状、大きさおよびその配置の間隔は、前述した第２実施形態の微小凹部２７ａと同じである。また、この白鍵のそれ以外の部分の構成については、前述した白鍵１０と同一である。
【００４５】
このように、本実施形態に係る白鍵では、複数の微小凸部３６ａからなる面模様３６と、複数の微小凹部３７ａからなる面模様３７とを間隔を保って交互に配置し、さらに、面模様３６，３７間に平坦面３４を設けている。このため、面模様３６と面模様３７との模様パターンが平坦面３４によって急に中断されるとともに、面模様３６，３７と平坦面３４との間が、境界線からなる線模様３８の部分で急に変化する。この白鍵におけるそれ以外の作用効果は、前述した第１実施形態に係る白鍵１０と同様である。
【００４６】
なお、本実施形態においても、凹凸模様３５は、白鍵の上面部、前面部および一対の側面部のすべてに設ける必要はなく、上面部、前面部および一対の側面部のいずれか一部に設けてもよい。また、本実施形態では、面模様３６を、複数の微小凸部３６ａで構成し、面模様３７を、複数の微小凹部３７ａで構成しているが、面模様３６，３７の双方を、微小凸部３６ａだけで構成したり、微小凹部３７ａだけで構成したりしてもよい。また、面模様３６，３７の双方に、微小凸部３６ａと微小凹部３７ａとを混在させてもよい。さらに、面模様３６，３７の形状も前述した実施形態に限るものでなく、適宜変更することができる。例えば、面模様３６，３７を同じ構成にしてもよい。また、この凹凸模様３５を形成する鍵は、白鍵でなく、黒鍵にしてもよいし、白鍵と黒鍵との双方にしてもよい。
【００４７】
さらに、本実施形態では、各小線模様３６ｂ，３７ｂを、それぞれ互いの間隔を一定にして平行に配置しているが、これらの小線模様３６ｂ，３７ｂは、ともに間隔が異なるように配置してもよいし、必ずしも平行していなくてもよい。また、複数の微小凸部３６ａで構成される各小線模様３６ｂと、複数の微小凹部３７ａで構成される各小線模様３７ｂとをそれぞれ一定間隔でジグザグ状に延ばしているが、このジグザグ状に延びる複数の線模様も一定間隔でなくてもよい。さらに、面模様３６，３７と平坦面３４との幅も異なる幅にしてもよい。
【００４８】
（第４実施形態）
図９は、本発明の第４実施形態に係る白鍵（図６に示した白鍵２０と同様に現れる）に形成された凹凸模様４５を示している。この凹凸模様４５は、白鍵の前後方向または上下方向にそれぞれ延び、左右に交互に配置された面位置の異なる段違いの平坦面４６，４７と、平坦面４６と平坦面４７との境界部分にそれぞれ設けられた傾斜面４８とで構成されている。傾斜面４８で、本発明に係る線模様が構成される。平坦面４６，４７は、それぞれ同じ幅に設定されている。
【００４９】
また、図１０は、窪んだ位置にある平坦面４７から突出した位置にある平坦面４６に向けて立ち上がる傾斜面４８の垂直線（平坦面４７に直交する線）に対する傾斜角度ｅを示しており、この傾斜角度ｅは０〜２０度、望ましくは１〜１０度、さらに望ましくは３〜５度の範囲に設定されている。また、傾斜面４８の垂直方向の高さは、０．０１ｍｍ〜１ｍｍ、望ましくは０．０２ｍｍ〜０．５ｍｍ、さらに望ましくは０．０５ｍｍ〜０．３ｍｍに設定されている。この白鍵のそれ以外の部分の構成については、前述した白鍵１０と同一である。
【００５０】
この白鍵によると、平坦面４７から平坦面４６に向けて立ち上がる傾斜面４８によって、特有の反射光が生じ、この反射光によって段差による線模様をよりはっきりと認識できる。また、押鍵時の触覚においても、傾斜面４８をはっきりと感じとることができる。この白鍵におけるそれ以外の作用効果は、前述した第１実施形態に係る白鍵１０と同様である。なお、本実施形態においても、凹凸模様４５は、白鍵の上面部、前面部および一対の側面部のすべてに設ける必要はなく、上面部、前面部および一対の側面部のいずれか一部に設けてもよい。また、平坦面４６，４７および傾斜面４８が延びる方向は、白鍵の前後方向または上下方向に限らず、左右方向でもよいし、斜め方向でもよい。さらに、図１１に示したように、傾斜面４８の中に、高さｆと高さｇのように異なる高さの部分を含ませてもよい。また、平坦面４６，４７に代えて、表面に凹凸模様が形成された面を用いてもよい。
【００５１】
（第５実施形態）
図１２は、本発明の第５実施形態に係る黒鍵のキートップ部４０を示している。このキートップ部４０は、鍵本体部（図示せず）とともに、硬質の合成樹脂を一体成形することにより形成されている。キートップ部４０は、鍵本体部の前部側部分の上部に形成されており、上面部４１と、前面部４２と、左右一対の側面部４３（一方しか図示せず）と、後面部（図示せず）とを備えている。このキートップ部４０では、上面部４１と後面部との表面が平滑面で構成され、前面部４２と、両側面部４３との表面に凹凸模様４４が形成されている。この凹凸模様４４は、キートップ部４０の前後方向または左右方向にそれぞれ延び、上下に配置された面位置の異なる段違いの平坦面４４ａと、各平坦面４４ａの境界部分にそれぞれ設けられた細長い段状の傾斜面４４ｂとで構成されている。
【００５２】
このキートップ部４０は、幅が下方から上方に行くにしたがって小さくなり、前面部４２が上部よりも下部の方が前方に突出している。このためキートップ部４０の平面視による面積は下方から上方に行くほど小さくなる。また、平坦面４４ａ間の段差を構成する傾斜面４４ｂは、外周側に向かう下り傾斜になっている。この傾斜面４４ｂの水平方向に対する傾斜角度は０〜２０度、望ましくは１〜１０度、さらに望ましくは３〜５度の範囲に設定されている。また、傾斜面４４ｂの水平方向の長さは、０．０１ｍｍ〜１ｍｍ、望ましくは０．０２ｍｍ〜０．５ｍｍ、さらに望ましくは０．０５ｍｍ〜０．３ｍｍに設定されている。
【００５３】
なお、このキートップ部４０を備えた黒鍵を一体成形する射出成形機には、固定型と可動型とからなる成形型が備わっており、黒鍵を成形する際には、一方の型を黒鍵の上下方向に移動させるようにして黒鍵を成形型から抜くことが行われる。キートップ部４０の前面部４２と、両側面部４３との表面に凹凸模様４４が形成されているが、キートップ部４０の平面視による面積は下方から上方に行くほど小さくなっており、平坦面４４ａ間の段差を構成する傾斜面４４ｂは、外周側に向かう下り傾斜になっている。このため、黒鍵を成形する際に、前面部４２や両側面部４３にアンダーカットが生じて成形された黒鍵を成形型から抜き難くなるといったことを防止できる。この結果、成形された黒鍵を成形型から抜く操作がスムーズになり、生産性の向上と品質の確保とが図れる。このキートップ部７０を備えた黒鍵におけるそれ以外の作用効果については、前述した各実施形態と同様である。
【００５４】
（第６実施形態）
図１３は、本発明の第６実施形態に係る白鍵５０を示している。この白鍵５０の外観となる上面部５１、前面部５２および一対の側面部５３の表面には、それぞれ全体として格子模様のように見える凹凸模様５５が形成されている。この凹凸模様５５は、図１４に示したように構成されており、前述した線模様１６と同様の尾根線状の線模様からなる凹凸模様部５６と、線模様１７と同様の谷線状の線模様からなる凹凸模様部５７と、凹凸模様２５と同様の凹凸模様からなる凹凸模様部５５ａと、凹凸模様３５と同様の凹凸模様からなる凹凸模様部５５ｂと、凹凸模様４５と同様の凹凸模様からなる凹凸模様部５５ｃとを備えている。この白鍵５０のそれ以外の部分の構成については、前述した第１実施形態の白鍵１０と同じである。したがって、同一部分に同一符号を記して説明は省略する。
【００５５】
この白鍵５０では、外観として現れる上面部５１、前面部５２および側面部５３に形成する凹凸模様５５の各部分を、異なる凹凸模様で構成している。このため、変化に富む凹凸模様５５が形成された白鍵５０を得ることができる。また、この場合も、凹凸模様５５は、上面部５１、前面部５２および側面部５３のいずれか一部に設けてもよい。さらに、この凹凸模様５５を形成する鍵は、白鍵でなく、黒鍵にしてもよいし、白鍵と黒鍵との双方にしてもよい。なお、本発明においては、連続した線状になっていなくても、各面模様の模様パターンが急に変化する境界部分も線模様に含まれるものとする。
【符号の説明】
【００５６】
１０，２０，５０…白鍵、１１，２１，４１，５１…上面部、１２，２２，４２，５２…前面部、１３，２３，４３，５３…側面部、１４，２４…平坦部、１５，２５，３５，４４，４５…凹凸模様、１６，１７，２８，３８，５６，５７…線模様、１６ａ，２６ａ，３６ａ…微小凸部、１６ｃ…傾斜面、１７ａ，２７ａ，３７ａ…微小凹部、１７ｃ…傾斜面、２６，２７，３６，３７…面模様、３４，４４ａ，４６，４７…平坦面、４０…キートップ部、４４ｂ，４８…傾斜面、５５ａ，５５ｂ，５５ｃ…凹凸模様部。
【図１】
0005630164.tif 000002
【図２】
0005630164.tif 000003
【図３】
0005630164.tif 000004
【図４】
0005630164.tif 000005
【図５】
0005630164.tif 000006
【図６】
0005630164.tif 000007
【図７】
0005630164.tif 000008
【図８】
0005630164.tif 000009
【図９】
0005630164.tif 000010
【図１０】
0005630164.tif 000011
【図１１】
0005630164.tif 000012
【図１２】
0005630164.tif 000013
【図１３】
0005630164.tif 000014
【図１４】
0005630164.tif 000015